(57)【特許請求の範囲】
【請求項１】
複数の半導体発光素子を有する発光部と
天井取り付け型の器具本体と
前記器具本体の下面に、前記発光部および点灯装置と、
前記発光部を覆う着脱可能なグローブと
を有する照明器具であって、
個々の前記半導体発光素子は別々のドーム状の拡散体で覆われ、かつ、
前記発光部は、前記半導体発光素子が実装された基板を有し、前記器具本体に固定される透光性カバーで覆われており、
１枚以上の前記基板が、前記基板ごとに前記透光性カバーで覆われている
ことを特徴とする照明器具。
【請求項２】
請求項１に記載の照明器具において、
個々の前記拡散体が、
種類の異なる複数の前記拡散体からなる
ことを特徴とする照明器具。
【発明の詳細な説明】
【技術分野】
【０００１】
本発明は、照明器具に関する。
【背景技術】
【０００２】
住宅等における室内照明に用いられる照明装置として、ＬＥＤ発光素子を用いた照明器具が広く知られている。また、ＬＥＤ発光素子はそれ自体、指向性が強く、拡散体等で覆わなければ、照明器具の表面にランプイメージが映し出され、美観性に欠けるものとなる。その点を踏まえ、特許文献１が開示するようにＬＥＤ発光素子を拡散体で覆う照明器具が知られている。また、特許文献２のように、照明器具の中央付近にＬＥＤ発光素子を外縁部方向に向け実装するものが知られている。
【先行技術文献】
【特許文献】
【０００３】
【特許文献１】特開２０１１−２４９１５８号公報
【特許文献２】特開２０１１−２０４６９９号公報
【発明の概要】
【発明が解決しようとする課題】
【０００４】
しかしながら、上記特許文献１における照明器具は、多数のＬＥＤ発光素子が一つの拡散体によって覆われている。このような構成では、多数のＬＥＤ発光素子からの照射光を拡散させるために、光学設計上、拡散体が大型化する傾向にあった。すなわち、このような構成をとると、照明器具が大型化し、美観性の問題が生じていた。
【０００５】
また、上記特許文献２における照明器具は、装置本体の外縁部に向けて光を照射するよう光源を配置し、反射板を活用することで直下方向への照度を確保するものである。すなわち、このような構成を採用すると、直下方向への照度が不足する恐れがある。
【０００６】
本発明は上記背景技術を鑑みてなされたものであり、照明器具を小型化し、かつ照明器具の直下の照度を確保することができる照明器具を提供することを目的とする。
【課題を解決するための手段】
【０００７】
上記課題を解決するために本発明では、複数の半導体発光素子からなる発光部と天井取り付け型の器具本体と前記器具本体の前面に前記発光部および点灯装置と、前記発光部を覆う着脱可能なグローブを有する照明器具であって、個々の前記半導体発光素子は別々のドーム状の拡散体で覆われ、かつ、前記発光部は、前記器具本体に固定される透光性カバーで覆われている照明器具を用いる。
【０００８】
また、前記照明器具において、前記発光部は前記半導体発光素子が実装された１枚以上の基板からなる照明器具であってもよい。
【０００９】
また、前記照明器具において、１枚以上の前記基板が、前記基板ごとに前記透光性カバーで覆われている照明器具であってもよい。
【００１０】
また、前記照明器具において、個々の前記拡散体が、種類の異なる複数の前記拡散体からなることを特徴とする照明器具であってもよい。
【発明の効果】
【００１１】
本発明によれば、個々の半導体発光素子を拡散体で覆うことによって、良好な配光特性を得ることができる。また、拡散体が大型化することがなく、照明器具の小型化及び直下照度の確保が可能となり美観性にも優れたものとなる。
【図面の簡単な説明】
【００１２】
【図１】本発明の実施形態１における照明器具１の横から見た断面図である。
【図２】実施形態１における照明器具１において、透光性カバー４及び、グローブ５を取り外した状態を下から見た平面図である。
【図３】実施形態１における照明器具１において、グローブ５を取り外した状態を下から見た平面図である。
【図４】実施形態１における照明器具１を下から見た平面図である。
【図５】実施形態２における照明器具１において、グローブ５を取り外した状態を下から見た平面図である。
【図６】実施形態３における照明器具１において、透光性カバー４及び、グローブ５を取り外した状態を下から見た平面図である。
【発明を実施するための形態】
【００１３】
（実施形態１）
実施形態１における照明器具１について図１〜図４に基づいて説明する。照明器具１は、器具本体２と、それに取り付けられた発光部３を有する。また、この発光部３は透光性カバー４によって覆われているものである。また、器具本体２には透光性のグローブ５が着脱可能な状態で設置されている。
【００１４】
発光部３は、基板８と、この基板８の一方の面側に設けられた半導体発光素子６を有して形成される。半導体発光素子６は発光ダイオード（ＬＥＤ）や有機エレクトロルミネセンス（ＥＬ）素子などである。基板８は、合成樹脂または金属のいずれであってもよく、金属の場合、絶縁層が形成され、当該絶縁層上に半導体発光素子６が設けられる。
【００１５】
図１では、発光部３には、半導体発光素子６としてＬＥＤ６が設けられている例を示している。ＬＥＤ６は個々に拡散体７によって覆われている。この拡散体７は指向性の強いＬＥＤ６による照射光を拡散させ、照明器具１のグローブ５にランプイメージを写り込ませない効果がある。このことによって、美観性を損なうことのない照明器具１を提供することが可能となっている。
【００１６】
また、ＬＥＤ６を拡散体７で覆うことで、ＬＥＤ６を下向きに設置しても、上記の通りグローブ５にランプイメージが写りこまないため、照明器具１の直下照度の確保が可能となる。
【００１７】
拡散体７は、酸化チタン（ＴｉＯ２）やシリカ（ＳｉＯ２）などの光拡散性微粒子が混入されていて光拡散性を有するとともに透光性を有する例えば、ポリカーボネート（ＰＣ）樹脂にて略椀状に成型されている。そして、当該ポリカーボネート（ＰＣ）樹脂は、例えばＵＬ規格のＶ２の低難燃性を有するものでもよい。拡散体７は、ＬＥＤ６を覆う大きさであって、透光性カバー４の内側に収容可能な大きさに形成されている。そして、拡散体７は基板８にシリコーン樹脂などの接着材により固着されている。
【００１８】
また、拡散体７は、光拡散性粒子の混入ではなく、その表面加工によって光拡散性を有するようにしてもよい。また、拡散体７は略椀状の形状に限らず、例えば略正方形の箱状、または円柱状のようなものであって、ドーム状であればよい。
【００１９】
透光性カバー４は器具本体２に固定されており、取り外しが容易ではなく、一般使用者
には取り外し困難である。透光性カバー４によって発光部３を密閉することで、発光部３の内側にホコリ・昆虫などが混入しない。また、使用者が、グローブ５を取り外し、照明器具１の内側に溜まったホコリ・昆虫などの清掃時にＬＥＤ６に直接接触することを防止する。このことによって、ＬＥＤ６への静電気の印加を防ぎ、ＬＥＤ６の破壊防止に貢献する。器具本体２と透光性カバー４の装着方法は後述する。
【００２０】
器具本体２は、発光部３およびグローブ５を保持する。器具本体２は鉄、アルミニウム等の金属性であり、発光部３等の発熱体からの熱を放熱するヒートシンクとしての機能も有している。
【００２１】
また器具本体２の略中央付近にはアダプタ９を有している。アダプタ９は扁平な円柱形状を有しており、一端側に、被取り付け部材１０に設けられた引掛シーリングボディ等の係合穴に係合する引掛刃１１を係合させることにより、電気的、機械的に被取り付け部材１０に接続される。アダプタ９は、天井１２に取付けられている被取り付け部材１０と接合することで、照明器具１を天井１２に固定する。アダプタ９は、それ自体公知であるので、詳細な説明は省略する。
【００２２】
図２は照明器具１において、透光性カバー４及び、グローブ５を取り外した状態を下から見た図である。器具本体２は穴１３を有する。この穴１３にはアダプタ９を取り付けることが可能である。図２においては、アダプタ９を省略している。アダプタ９と点灯装置１５は接続線１４によって電気的に接続されている。
【００２３】
また、アダプタ９は、被取り付け部材１０を介して商用電源１９と電気的に接続されている。点灯装置には、商用電源１９から供給された電流を整流する整流回路、整流された電圧を所定の電圧に変換するトランス等の電子部品を有する。この点灯装置は器具本体２の上面また下面どちらに備えられていてもよい。
【００２４】
器具本体２には点灯装置保護カバー１６が取り付けられている。点灯装置保護カバー１６は合成樹脂または金属性いずれであってもよい。この点灯装置保護カバー１６は器具本体２とネジなどにより固定され容易に取り外しができない構造となっており、点灯装置１５を保護することを目的としている。そのことにより、使用者が点灯装置１５に直接接触することを防ぎ、故障の原因を軽減している。また、点灯装置保護カバー１６の略中央付近には穴があり、その穴からアダプタ９の操作が可能となっている。この点灯装置保護カバー１６に設けられている穴は、点灯装置保護カバー１６を器具本体２に装着した際、器具本体２に設けられている穴１３と重なりあうように設計されている。また、器具本体２に設けられた穴１３と点灯装置保護カバー１６に設けられた穴は略略同一形状である。このことから、点灯装置保護カバー１６を装着した状態で、器具本体２と被取り付け部材１０との着脱が可能である。
【００２５】
点灯装置１５と基板８は接続線１４によって電気的に接続されている。基板８と接続線１４はコネクタ１７によって接続されている。このコネクタ１７は基板８同士を接続する際にも使用される。接続線１４はアダプタ９と点灯装置１５及び、点灯装置１５と基板８を電気的に接続するため、導電部材を用いた導線が用いられている。接続線１４の周囲には、他の部材と電気的接触を防ぐため、絶縁膜が設けられている。
【００２６】
点灯装置１５は、基板８に設けられた複数のＬＥＤ６を独立的に点灯させることが可能である。独立的に任意のＬＥＤ６を点灯させることで、照度の調整が可能となる。それ以外にも、この点灯装置１５は、ＬＥＤ６の出力を調整することが可能であり、明暗を任意に調整することも可能である。
【００２７】
器具本体２には複数の発光部３が備えられている。発光部３に設けられている複数の基板８を用いることで、ある基板８に故障が発生した際、この基板８のみを交換修理することで改善が図れる。また、修理の際だけでなく、商品設計の段階でも、同形状の基板８を用いて形の異なる照明器具を設計することができる。これらの点から、修理コスト、製造コストの削減が可能となる。図２は、基板８を４枚用いてかつ、それぞれの基板８を４辺に並べることで、四角形の照明器具１を形成している。
【００２８】
図３は発光部３に透光性カバー４を装着した状態を示す。透光性カバー４は合成樹脂からなるものである。たとえば、透光性カバー４はアクリルによって成型されていてもよい。その他にも、ポリカーボネート（ＰＣ）樹脂などが考えられる。
【００２９】
透光性カバー４は、器具本体２よりも小さく、透光性カバー４の外縁よりも器具本体２の外縁の方が外側にある。そして、透光性カバー４は、器具本体２に直接装着されている。透光性カバー４は器具本体２と取り外し困難であって、ネジ１８によって装着されている。この透光性カバー４は少なくとも４箇所でネジ１８によって器具本体２と固定されている。本実施形態においては、器具本体２と透光性カバー４は１２箇所で固定されている。ネジ１８で装着する以外に、器具本体２とツメ（図示せず）によって固定されていてもよい。透光性カバー４は、複数の基板８からなる発光部３を一枚のカバーで覆うものである。
【００３０】
また、透光性カバー４の中心、すなわち、点灯装置１５が設けられている直下付近および、アダプタ９が設けられている直下付近は中抜き形状になっている。このことによって、点灯装置１５での発熱を外部に放熱することが可能となる。また、透光性カバー４を取り外すことなくアダプタ９を操作し、照明器具１の着脱操作が可能となる。
【００３１】
図４には、器具本体２にグローブ５を装着した際の照明器具１を下から見た図である。グローブ５は、器具本体２に取り外し可能な方法で取り付けられている。たとえば、器具本体２の上面の外縁に突起物があり、グローブ５にかかる重力によって、その突起物と係り合うことによって取付けられている。それ以外にも、器具本体２の上面の外縁にストッパーなどの別部品が器具本体２に備えられている場合もある。
【００３２】
また、グローブ５の材質としては、透光性であって軽量なものが好まれる。また、難燃性の部材を用いることも可能である。これによって、照明器具１の外側に炎が発生しても、難燃性を有する樹脂にて形成されているので、着火しにくい。
（実施形態２）
図５を用いて実施形態２に示す照明器具１を説明する。実施形態１と同構成部分は説明を省略する。
【００３３】
透光性カバー４は、発光部３ごとに独立して発光部３を覆っている。このことから、ある発光部３に異常が発生した際には、異常が発生した発光部３に対応する透光性カバー４を取り外すことで、異常の発生した発光部３を交換することができる。本来、一般使用者は透光性カバー４を取り外すことは困難であるが、作業業者は取り外し可能な構造である。そのことから、修理工数の削減、修理コストの削減に効果がある。また、照明器具１全体の重量も軽減できる。
【００３４】
透光性カバー４は基板８に装着されている。装着方法としては、基板８と透光性カバー４を爪２０によって取り外し困難な形状で固定されている。固定方法は、爪２０によって固定する方法以外に、ネジによって固定するものも考えられる。
【００３５】
透光性カバー４以外の構成は、実施形態１と同構成である。
（実施形態３）
図６を用いて実施形態３に示す照明器具１を説明する。実施形態１と同構成部分は説明を省略する。
【００３６】
個々の拡散体７は蛍光材質が異なっているものが用いられている。蛍光材質を変更することで、例えば、暖色系または寒色系の照射光を照射することが可能となる。このように発光部３に暖色系の拡散体７を備えたＬＥＤ６と、寒色系の拡散体７を備えたＬＥＤ６を備え、点灯装置１５によって制御することで、色温度等を自由に設定可能である。すなわち、容易に照明空間の雰囲気に合わせた照明効果を生み出すことができる。
【００３７】
拡散体７以外の構成は、実施形態１と同構成である。
【産業上の利用可能性】
【００３８】
本発明は、小型化かつ意匠性に優れた照明器具を提供するものであって、室内空間において美観性を崩すことなく、限られた空間内を照明する際に活用することができる。
【符号の説明】
【００３９】
１  照明器具
２  器具本体
３  発光部
４  透光性カバー
５  グローブ
６  半導体発光素子（ＬＥＤ）
７  拡散体
８  基板
９  アダプタ
１０  被取り付け部材
１１  引掛刃
１２  天井
１３  穴
１４  接続線
１５  点灯装置
１６  点灯装置保護カバー
１７  コネクタ
１８  ネジ
１９  商用電源
２０  爪
【図１】
0005870253.tif 000002
【図２】
0005870253.tif 000003
【図３】
0005870253.tif 000004
【図４】
0005870253.tif 000005
【図５】
0005870253.tif 000006
【図６】
0005870253.tif 000007